(57)【要約】【課題】  平常時においては、ラックなどの什器、看板、看板スタンドなどとして使用することができ、豪雨などによる浸水を防止する必要がある非常時には止水板としても使用することができる、設置が容易な店舗設置装置を提供することを目的とする。【解決手段】矩形状の基材と、建物に立設された出入口に前記基材を係止し得る係止部材とを備える。【選択図】図１
2020023873.tif 000002
【特許請求の範囲】
【請求項１】
矩形状の基材と、
建物に立設された出入口に前記基材を固定し得る係止部材と、
を備えることを特徴とする店舗設置装置。
【請求項２】
前記係止部材は、前記基材の端部又は、
前記基材の背面におけるそれぞれの端部に設けられ、前記基材に対して垂直方向に立設する支持部の端部のいずれかに設けられていることを特徴とする請求項１に記載の店舗設置装置。
【請求項３】
前記基材の内部に設けられた空洞に連通している貫通孔を備えることを特徴とする請求項１又は請求項２に記載の店舗設置装置。
【請求項４】
前記基材は、側面にパッキンが固着されていることを特徴とする請求項１から請求項３のいずれかに記載の店舗設置装置。
【請求項５】
前記基材は、側面に枠体を備えることを特徴とする請求項１から請求項４のいずれかに記載の店舗設置装置。
【請求項６】
前記基材は、キャスターを備えることを特徴とする請求項１から請求項５のいずれかに記載の店舗設置装置。
【請求項７】
前記基材は、少なくとも２枚の基材を蝶着する連結部材を備えることを特徴とする請求項１から請求項６のいずれかに記載の店舗設置装置。
【請求項８】
前記基材は、一方面側に把手を備えることを特徴とする請求項１から請求項７のいずれかに記載の店舗設置装置。
【発明の詳細な説明】
【技術分野】
【０００１】
本発明は、店舗の内外に設置される、ラック用収納具を備えるラックなどの什器、又は、広告用看板や看板スタンドなどの広告媒体等である店舗設置装置であって、突然の豪雨などの非常時には、路面店、テナント、マンションのエントランスなどの建物の出入口、または、建物内のエレベーターの出入口から屋内への浸水を防止するために用いられる止水板としても使用することができる店舗設置装置に関する。
【背景技術】
【０００２】
従来、ラックなどの什器、看板又は看板スタンドは、店舗の内外に設置されるものである。ラックなどの什器は店舗だけでなく、店舗以外のいろいろな場所で使用することができるが、例えば、看板などは店舗の存在をアピールするために店舗経営者には必要である。しかし、看板は風などに飛ばされないようにするための重みを備えており、女性などには持ち運びが容易ではなく、また光源に電源を必要とする場合にはコードが必要になり設置場所が限定されるという問題があった。
【０００３】
例えば、特許文献１には、広告表示部分が薄くて見栄えが良く、看板全体が重いことによる取扱の悪さを軽減した蓄電池による広告表示ができる看板が開示されている。
【先行技術文献】
【特許文献】
【０００４】
【特許文献１】特開２０１４−５６０９３号公報
【発明の概要】
【発明が解決しようとする課題】
【０００５】
しかし、特許文献１の看板は、特許文献１の図１に示されているように、取り扱いが容易である一方、看板以外の用途がない。また、適度に軽い看板は、強風などによって失うおそれがある。さらに、近年、地球規模で起こっている異常気象に伴う、突然の豪雨や鉄砲水など予想を超える量の水が短時間に大量に発生し、建物内のエレベーター、路面店、テナント、マンションなどの建物内に流入することが度々ある。しかし、止水板のような装置を予めこれらの建物の壁面等に設置することは容易ではない。コストがかかるだけでなく、建物の出入口が狭くなるなど容易に防水手段を講じることはできないという問題もあった。
【０００６】
そのため、本発明は、平常時においては、ラックなどの什器、看板、看板スタンドなどとして使用することができ、豪雨などによる浸水を防止する必要がある非常時には止水板としても使用することができる、設置が容易な店舗設置装置を提供することを目的とする。
【課題を解決するための手段】
【０００７】
〔１〕すなわち、本発明は、矩形状の基材（１０）と、
建物に立設された出入口に前記基材（１０）を係止し得る係止部材（３０）と、
を備えることを特徴とする店舗設置装置である。
【０００８】
〔２〕そして、前記係止部材（３０）は、前記基材（１０）の端部又は、
前記基材（１０）の背面におけるそれぞれの端部に設けられ、前記基材（１０）に対して垂直方向に立設する支持部（１１１，１２１）の端部のいずれかに設けられていることを特徴とする上記〔１〕に記載の店舗設置装置である。
【０００９】
〔３〕そして、前記基材（１０）の内部に設けられた空洞１４に連通している貫通孔（６０）を備えることを特徴とする上記〔１〕又は上記〔２〕に記載の店舗設置装置である。
【００１０】
〔４〕そして、前記基材（１０）は側面にパッキン（４０、４１）が固着されていることを特徴とする上記〔１〕から上記〔３〕のいずれかに記載の店舗設置装置である。
【００１１】
〔５〕そして、前記基材（１０）は側面に枠体（８０）を備えることを特徴とする上記〔１〕から上記〔４〕のいずれかに記載の店舗設置装置である。
【００１２】
〔６〕そして、前記基材（１０）はキャスター（５０）を備えることを特徴とする上記〔１〕から上記〔５〕のいずれかに記載の店舗設置装置である。
【００１３】
〔７〕そして、前記基材（１０）は少なくとも２枚の基材（１０）を蝶着する連結部材（２０）を備えることを特徴とする上記〔１〕から上記〔６〕のいずれかに記載の店舗設置装置である。
【００１４】
〔８〕そして、前記基材（１０）は一方面側に把手（７０）を備えることを特徴とする上記〔１〕から上記〔７〕のいずれかに記載の店舗設置装置である。
【発明の効果】
【００１５】
本発明の店舗設置装置によれば、平常時は、ラックなどの什器、看板、看板スタンドなどとして使用することができ、豪雨などによる浸水を防止する必要がある非常時には、容易に設置できる止水板としても使用することができる。
【図面の簡単な説明】
【００１６】
【図１】本件発明の第一実施形態における店舗設置装置をラックとして使用した場合の斜視図である。
【図２】本件発明の第一実施形態における店舗設置装置を止水板として扉に設置した場合の店外側からの斜視図である。
【図３】本件発明の第一実施形態における店舗設置装置を止水板として扉に設置した場合の店内側からの斜視図である。
【図４】本件発明の図２における第一実施形態におけるA−A線断面図である。
【図５】本件発明の図２における第一実施形態におけるＢ−Ｂ線断面図である。
【図６】本件発明の係止部材における拡大斜視図である。
【図７】本件発明の第二実施形態における店舗設置装置をラックとして使用した場合の斜視図である。
【図８】本件発明の第二実施形態における店舗設置装置を面一にした場合の斜視図である。
【図９】本件発明の第三実施形態における店舗設置装置をラックとして使用した場合の側面図である。
【図１０】本件発明の第四実施形態における店舗設置装置を設置したときの斜視図である。なお、図面中に一部切欠いた部分がある。
【図１１】本件発明の第四実施形態における店舗設置装置を設置したときの平面図である。
【図１２】本件発明の第四実施形態における店舗設置装置をラックとして使用した場合の斜視図である。
【図１３】本件発明の第四実施形態における店舗設置装置をラックとして使用した場合の側面図である。
【発明を実施するための形態】
【００１７】
以下、本発明に係る店舗設置装置について、添付の図面に基づいて詳しく説明する。なお、以下に説明する実施形態は、本発明を実施するに好ましい具体例であるから、技術的に種々の限定がなされているが、本発明は、以下の説明において特に発明を限定する旨が明記されていない限り、この形態に限定されるものではない。明細書における前後方向は、図２における、紙面手前側が前方向で、紙面の後側が後方向である。
【００１８】
（第一実施形態）
図１、図２、図３などに示すように、本実施形態の店舗設置装置１は、主として、第一基材１１及び第二基材１２からなる基材１０と、基材１０を蝶着する連結部材２０と、基材１０を建物の出入口に立設された扉等に係止し得る係止部材３０と、基材１０の側面に固着される枠体８０に備えられた路面側パッキン４０と、基材１０に装着されるキャスター５０と、基材１０の内部に設けられた空洞１４に連通している貫通孔６０と、基材１０の一方面側に備えられた把手７０と、基材１０の側面に固着される枠体８０などを備えている。
【００１９】
基材１０は、折り畳み自在に連結された第一基材１１及び第二基材１２からなる部材である。第一基材１１及び第二基材１２は、それぞれ左右方向に長い箱状であり、それぞれが同一形状である。具体的には、建物の出入口に立設されたドアｗ１と固定壁ｗ２の間に基材１０を装着したときに、建物等の外側に面する第一基材１１及び第二基材１２の前面板１ａと、建物等の内側に面する第一基材１１及び第二基材１２の後面板１ｂを備える。そして、第一基材１１及び第二基材１２は、前面板１ａと後面板１ｂの間に空洞１４が設けられるように形成されている。図２に示すように、第一基材１１及び第二基材１２の表面が段差なく平坦になるように基材１０を固定すると、基材１０は長手方向において略矩形状であり、基材１０を建物の出入口に立設されたドアｗ１と固定壁ｗ２の間に装着することによって、建物の出入口が基材１０によって覆われ建物外部から建物内部への浸水を防ぐことができる。
【００２０】
図２に示すように、第一基材１１及び第二基材１２の前面板１ａには複数の貫通孔６０が形成されている。そして、貫通孔６０は、前面板１ａと後面板１ｂの間に設けられた空洞１４に連通している。非常時には、豪雨などによって発生した水が、第一基材１１及び第二基材１２の前面板１ａに向かって流れてくるため、水が前面板１ａに設けられた貫通孔６０から基材１０の内部の空洞１４に流入する。すると、店舗設置装置１自体の重量に浸水した水の重量が加わって、店舗設置装置１はさらに重くなる。このように、店舗設置装置１の自重に加えて空洞１４に流入した水の重量も加わることによって、店舗設置装置１が地面をより押圧して下部からの浸水を防止することができる。
【００２１】
連結部材２０は、第一基材１１及び第二基材１２を互いに回転可能に連結する部材である。具体的には、連結部材２０の一端が第一基材１１の後面板１ｂにおける右側面８０ａ側、他端が第二基材１２の後面板１ｂにおける左側面８０ａ側に設けられている。
【００２２】
また、第一基材１１及び第二基材１２は、連結部材２０の回動軸を中心に、第一基材１１及び第二基材１２がなす角度が０度から１８０度まで回動することができるため、第一基材１１及び第二基材１２は後面板１ｂ側を内側にして折り畳むこともでき、平常時においてラック用土台や看板などとして使用するために第一基材１１及び第二基材を所定の角度で屈曲状態に保持することもできる。一方、非常時には、連結部材２０によって基材１０の表面が段差なく平坦になるように固定し、図２、図３などに示すように、建物の出入口に立設されたドアｗ１と固定壁ｗ２の間に設置することによって、止水板として建物内部への浸水を防止することができる。さらに、第一基材１１及び第二基材１２の連結部分が密着固定されるため、第一基材１１及び第二基材１２の連結部分からの浸水も防止して、建物内への浸水を効果的に防ぐことができる。
【００２３】
係止部材３０は、図３、図４、図６などに示すように、建物の出入口に立設されたドアｗ１と固定壁ｗ２の間に基材１０を挿入し係止させる部材である。係止部材３０は、基材１０の両側端部側に固設されている。具体的には、基材１０の後面板１ｂ側であって、基材１０の短手方向における中央近傍よりも下部側に係止部材３０の押圧部３４が当接されている。図４、図６などに示すように、係止部材３０は、位置調節部３１、差し込み部３２、リンク部３３、押圧部３４、及びスライド機構３５から成る。位置調節部３１は、係止部材３０の厚みを調節する。差し込み部３２は、ドアｗ１と固定壁ｗ２の間に係止部材３０を係止させる。リンク部３３は、位置調節部３１を操作することによって係止部材３０と固定壁ｗ２との間隔を調節する。押圧部３４は、基材１０に固設される。スライド機構３５は、係止部材３０の長手方向における店舗設置装置１と固定壁ｗ２との位置を調節する。
【００２４】
位置調節部３１は、係止部材３０の一方端部側に取着された部材であり、位置調節部３１を調節することによってリンク部３３の厚さ方向の長さを調節する。すなわち、位置調節部３１は、係止部材３０の厚さ方向の長さを調節して店舗設置装置１をドアｗ１と固定壁ｗ２の間に密着固定させる部材である。
【００２５】
差し込み部３２は、係止部材３０の一方端部側から横長に延伸して形成されている、略矩形状の板状である。差し込み部３２は、基材１０の長手方向に対して平行に形成されている。したがって、ドアｗ１と固定壁ｗ２の間に差し込み部３２を差し込むことによって店舗設置装置１を係止させることができる。
【００２６】
リンク部３３は、差し込み部３２を有する一の面と、当該一の面と対向する位置にある押圧部３４との間に設けられた部材である。位置調節部３１を操作すると、リンク部３３が位置調節部３１の操作に連動して差し込み部３２と押圧部３４との間隔を長くしたり短くしたり調節することができ、止水板としての店舗設置装置１とドアｗ１の間の隙間をなくして、店舗設置装置１をドアｗ１に密着固定させることができる。
【００２７】
押圧部３４は、略矩形状の部材であって、基材１０の両側端部側において中央近傍よりも下部側に固設されている。
【００２８】
スライド機構３５は、押圧部３４の長手方向に対して平行に形成された細長い楕円形状の孔３５２と、固定ピン３５１からなる。係止部材３０は、孔３５２と固定ピン３５１を調節することによって、店舗設置装置１をドアｗ１と固定壁ｗ２の間に係止する部材である。具体的には、図６（ｂ）に示すように、店舗設置装置１に取り付けられた係止部材３０をドアｗ１と固定壁ｗ２の間に差し込んだとき、係止部材３０と固定壁ｗ２の間に隙間があれば、スライド機構３５によって係止部材３０を固定壁ｗ２側に移動させる。そして、店舗設置装置１とドアｗ１の間の隙間をなくして、止水板としての店舗設置装置１を密着固定させる。また、店舗設置装置１に取り付けられた係止部材３０をドアｗ１と固定壁ｗ２の間に差し込んだとき、係止部材３０と固定壁ｗ２の間に隙間がなく係止部材３０をドアｗ１と固定壁ｗ２の間に装着することができないときは、スライド機構３５により係止部材３０を基材１０の左右方向における中心側に移動させ、ドアｗ１と固定壁ｗ２の間と店舗設置装置１の隙間をなくして、止水板として店舗設置装置１を密着固定させる。
【００２９】
路面側パッキン４０は、細長い矩形状からなる。第一基材１１及び第二基材１２の側面に、少なくとも下部側に固着される。路面側パッキン４０が基材１０の下部側に固着されることによって、店舗設置装置１と地面との間に隙間が生じることがなく、止水板としての店舗設置装置１の止水性を向上させることができる。本実施形態において、路面側パッキン４０は、左右方向に延びる帯状のゴム部材などの弾性体から成る平板パッキンであるが、耐久性があり浸水防止機能を有する部材であればよく、丸パッキンでもよい。また、図４などに示すように、基材１０の後面板１ｂの長手方向における左右側端部側に建物側パッキン４１を設けることによって、固定壁ｗ２と基材１０の間の浸水を効率よく防止することができる。
【００３０】
キャスター５０は、図２に示すように、基材１０の長手方向における両側端部に複数装着され、図１に示すように、店舗設置装置１を自由に移動させることができる部材である。具体的には、キャスター５０は基材１０の長手方向における両側端部に固着された枠体８０ｃに設けられた係止孔（図示しない）に係止される。したがって、連結部材２０によって蝶着された第一基材１１及び第二基材１２は、前面板１ａが外側になるように山型形状に屈曲固定することによって、ラックなどの什器や広告用看板等として使用することができ、また、自由に移動させることができる。そして、山型形状に屈曲固定された基材１０は、前面板１ａに形成された貫通孔６０にラック用収納具１００等を係止してラックなどの什器として使用することができる
【００３１】
貫通孔６０は、基材１０の前面板１ａに形成されている。本実施形態において、貫通孔６０は円形であるが、他の実施形態において、四角形などの多角形などとされてもよい。また、複数の貫通孔６０は、店舗設置装置１をラック用土台などとして利用するときに種々のラック用収納具をレイアウトしやすいように、本実施形態における格子点状に配設されることが好ましい。
【００３２】
把手７０は、第一基材１１及び第二基材１２の前面板１ａの上部側であって、第一基材１１及び第二基材１２が連結する側面側に夫々一カ所に窪みとして形成されている。手先で把手７０を保持できる深さを備えているため、非常時に、女性でも容易に店舗設置装置１を持ち運びができるため、即座に止水板を設置することができる。本実施形態において、把手７０は略矩形状であるが、コの字状、円弧状などの形状でもよい。また、把手７０は、第一基材１１及び第二基材１２の前面板１ａの上部側に突出して設けることもできる。
【００３３】
枠体８０ａ、枠体８０ｂ、枠体８０ｃ、枠体８０ｄは、第一基材１１及び第二基材１２の側面を埋設し密着固定する部材である。枠体８０ａは、第一基材１１及び第二基材１２が連結部材によって蝶着される側面に固着される。枠体８０ｂは、基材１０の上側面に固着される。枠体８０ｃは、枠体８０ａと対向する側面に固着される。枠体８０ｄは、基材１０の下部側側面に固着される。また、枠体８０ｃは、基材１０の内部の空洞１４において水の流れを作るために複数の枠体貫通孔（図示しない）が設けられている。そして、枠体８０ｃに枠体貫通孔が設けられていることに伴い、枠体８０ｃに固着された路面側パッキン４０も枠体貫通孔と同じ位置に貫通孔を有する。
【００３４】
このように、前面板１ａと枠体８０ｃに貫通孔が設けられているため、基材１０の内部の空洞１４に水が流れこむ水流が発生し、水が基材１０の内部に効率よく流入する。すると、基材１０は、基材１０自体の重量に浸水した水の重量が加わってより重くなる。このように、基材１０の自重に加えて空洞１４に流入した水の重量も加わることによって、基材１０が地面をより押圧して下部からの浸水を防止することができる。本実施形態において、枠体（８０ａ、８０ｂ、８０ｃ、８０ｄ）は断面視コの字状の部材からなるが、他の実施形態において、枠体８０ｂ、枠体８０ｃ、枠体８０ｄは板状部材でもよい。
【００３５】
基材固定具９０は、図１に示すように、第一基材１１及び第二基材１２から成る基材１０の屈曲形状を固定することができる部材である。例えば、あおり止めなどの種々の部材を使用することができる。
【００３６】
ラック用収納具１００は、新聞や雑誌などいろいろな物品を収納できる部材であって、深さを有する箱型の部材である。側面は収納物がよく見えるようにワイヤーなどで形成され、貫通孔６０に係止するための図示しない係止部を貫通孔６０に係止することができる。ラック用収納具１００は、基材１０の前面板１ａに形成された貫通孔６０に係止することができるため、日常においては、店舗設置装置１をラックなどの什器として建物の内外において使用することができる。本実施形態において、ワイヤー製のラック用収納具１００を使用しているが、新聞や雑誌などいろいろな物品を収納できる限りにおいてプラスチックなど他の部材でもよい。
【００３７】
（第二実施形態）
本実施形態の店舗設置装置１は、第一実施形態と同様に、第一基材１１及び第二基材１２からなる基材１０と、連結部材２０と、係止部材３０と、路面側パッキン４０と、キャスター５０と、貫通孔６０と、把手７０と、枠体８０などを備えている。  
【００３８】
しかしながら、図７、図８に示すように、第一基材１１及び第二基材１２の長手方向におけるそれぞれの長さは、第一基材１１よりも第二基材１２の方が長く形成されている構造において相違する。本実施形態において、第一基材１１の前面板１ａに複数のキャスター５０が装着されている。そして、第二基材１２は任意の角度で屈曲状態を保持して立設し、第一基材１１を底板として、店舗設置装置１はキャスター５０によって自由に移動することができる。
【００３９】
このように、店舗設置装置１は、平常時は、キャスター付きの第一基材１１を底板として、第二基材１２を屈曲させ屈曲状態を保持し、建物の内外においてラックなどの什器や広告用看板等として使用することができる。そして、非常時は、第一基材１１及び第二基材１２の表面が段差なく平坦になるようになるように広げて止水板を設置し、建物内への浸水を防止することができる。
【００４０】
（第三実施形態）
本実施形態の店舗設置装置１は、第一実施形態と同様に、第一基材１１及び第二基材１２からなる基材１０と、連結部材２０と、係止部材３０と、路面側パッキン４０と、キャスター５０と、貫通孔６０と、把手７０と、枠体８０などを備えている。  
【００４１】
しかしながら、図９に示すように、基材１０が三枚の基材から成る構造において相違する。具体的には、基材１０が第一基材１１、第二基材１２及び第三基材１３から成り、連結部材２０によって第一基材１１及び第二基材１２、そして、第二基材１２及び第三基材１３がそれぞれ蝶着されている。第一基材１１、第二基材１２及び第三基材１３の長手方向におけるそれぞれの長さについては、第一基材１１の長さが、第二基材１２及び第三基材１３の長さよりも短い。そして、第二基材１２及び第三基材１３の長さは夫々同じである。本実施形態における基材１０は、第一基材１１を底板として、前面板１ａが外側になるように、第二基材１２及び第三基材１３を山型に屈曲して固定することができる。
【００４２】
このように、第二基材１２及び第三基材１３を山型に形成し、第三基材１３の一方端部側を連結部材２０によって第一基材１１の他方端部側に固定することによって、第一基材１１を底板とする、略二等辺三角形状のラック又は広告用看板等として、店舗設置装置１を建物の内外において使用することができる。そして、第二基材１２及び第三基材１３の一方の側端部にキャスター５０を装着することによって、店舗設置装置１を自由に移動させることができる。または、第一基材１１の前面板１ａに複数のキャスター５０を装着し、第一基材１１を回動自由な底板として、店舗設置装置１を建物の内外において使用することもできる。
【００４３】
以上、本発明における、第一実施形態から第三実施形態において、店舗設置装置１は、ラックなどの什器、看板、看板スタンドとして使用するだけでなく、メニュー表やポスターの表示台、広告などを行う電子媒体の設置台などいろいろな用途で使用することができる。これらのメニュー表、ポスター、広告媒体、キャスター５０及びラック用収納具１００などは容易に取り外すことができるため、非常時には、第一基材１１及び第二基材１２の表面が段差なく平坦になるようになるように広げて、即座に止水板として設置することができ、建物内への浸水を防止することができる。なお、キャスター５０は付けたままでも止水板として使用することもできる。
【００４４】
基材１０は、２枚以上の基材からなる部材であるが、店舗の内外に設置されるラック用収納具を備えるラックなどの什器、又は、広告用看板や看板スタンドなどの広告媒体等として使用できる限りにおいて１枚からなる部材でも良い。また、基材１０は大量の水流による水圧にも耐えうる十分な強度を有しながらも持ち運びしやすいようにアルミニウム合金などの金属を使用しているが、樹脂材料などの他の材料、ドアを覆うように係止部材によって建物に係止する撥水性のある布製などのシート状部材などでもよい。
【００４５】
（第四実施形態）
本実施形態の店舗設置装置１は、第一実施形態と同様に、第一基材１１及び第二基材１２からなる基材１０と、連結部材２０と、係止部材３０と、路面側パッキン４０と、キャスター５０と、貫通孔６０と、把手７０と、枠体８０などを備えている。  
【００４６】
しかしながら、第一基材１１及び第二基材１２において、第一基材１１の後面における一方の端部に設けられ、第一基材１１に対して垂直方向に立設した第一支持部１１１と、第二基材１２の後面における一方の端部に設けられ、第二基材１２に対して垂直方向に立設した第二支持部１２１を備える構造において相違する。
【００４７】
第一支持部１１１は、図１１に示すように、上下方向における横断面が矩形状である。また、第一支持部１１１の上下方向における長さは、第一基材１１の上下方向における長さとおおよそ同じである。第一支持部１１１は、第一基材１１の左右方向に対して後面板１ｂ側へ垂直方向に立設する平板状であって、第一基材１１の左側面８０c側に固着されている。第一支持部１１１は、固着面１１１ａ、係止部材取付け面１１１ｂ、キャスター取付け面１１１ｃ、当接面１１１ｄを有する。固着面１１１ａと当接面１１１ｄ、そして、係止部材取付け面１１１ｂとキャスター取付け面１１１ｃはそれぞれ互いに平行に形成されている。固着面１１１ａは、第一基材１１の後面板１ｂ側における左側面８０c側に固着される。係止部材取付け面１１１ｂは、係止部材取付け面１１１ｂの上下方向における中央よりやや下方に、係止部材３０ａが固設されている。キャスター取付け面１１１ｃは、キャスター取付け面１１１ｃの上下方向における上部及び下部にキャスター５０がそれぞれ固設されている。当接面１１１ｄは、固定壁ｗ２の外部側面ｗ２２に当接する。
【００４８】
第二支持部１２１は、図１１に示すように、上下方向における横断面が略台形状である。また、第二支持部１２１の上下方向における長さは、第二基材１２の上下方向における長さとおおよそ同じである。第二支持部１２１は、第二基材１２の後面板１ｂにおける、右側面８０ｃ側に固着されている。第二支持部１２１は、延設面１２１ａ、係止部材取付け面１２１ｂ、キャスター取付け面１２１ｃ、当接面１２１ｄを有する。延設面１２１ａは、右側面８０ｃから右側方向へ延び、すなわち、前面板１ａに対して水平方向に延び、前面板１ａと略面一になるように設けられている。係止部材取付け面１２１ｂは、第二基材１２の左右方向に対して後面板１ｂ側へ垂直方向に延びている。係止部材取付け面１２１ｂの上下方向における中央よりやや下方に係止部材３０ａが固設されている。また、係止部材取付け面１２１ｂは、延設面１２１ａと交差する角部に、第二基材１２の右側面８０ｃ側が固着される溝１２２が設けられている。延設面１２１ａと対向する位置にある当接面１２１ｄは、延設面１２１ａよりも面積が小さく、延設面１２１ａと平行に形成され、固定壁ｗ２の外部側面ｗ２２に当接する。キャスター取付け面１２１ｃは、当接面１２１ｄの一方端部から延接面１２１ａの一方端部に向かって広がるように傾斜して形成されている。キャスター取付け面１２１ｃの上下方向における上部及び下部にキャスター５０がそれぞれ固設されている。
【００４９】
溝１２２は、第二支持部１２１の係止部材取付け面１２１ｂに設けられた、第二支持部１２１における上下方向において細長い矩形状の窪みである。第二基材１２の右側面８０ｃが溝１２２に挿入され、嵌合して固着される。
【００５０】
第一基材１１及び第二基材１２において、一方が他方より前面板１ａ及び後面板１ｂの面積が大きい。すなわち、本実施形態において、第一基材１１及び第二基材１２の上下方向の長さはおおよそ同じであり、第一基材１１の左右方向の長さは、第二基材１２の左右方向の長さよりも短い。そして、第一基材１１の左側面８０ｃ側に第一支持部１１１を、及び、第二基材１２の右側面８０ｃ側に第二支持部１２１を設けたことによって、図１０に示すように、店舗設置装置１の上下方向における横断面が前面板１ａ側に張り出した略コの字状に形成されている。すなわち、開き戸Ｄが設置された固定壁ｗ２は、固定壁ｗ２の近傍に開き戸Ｄが吊り軸を介して設置されているため、建物等の固定壁ｗ２・ｗ２の間の空間には開き戸Ｄが存在する。したがって、建物等の固定壁ｗ２・ｗ２の間に店舗設置装置１を設置する空間がなくても、固定壁ｗ２と開き戸Ｄの隙間に挿入可能な係止部材３０ａを介することによって、店舗設置装置１を建物等の固定壁ｗ２に設置することができる。また、店舗設置装置１を固定壁ｗ２に設置すると、店舗設置装置１と固定壁ｗ２の間、すなわち、第一基材１１及び第二基材１２の後面板１ｂ側であって、店舗設置装置１のコの字状の内側の領域に空間ができるため、開き戸Ｄが閉じられた状態であっても、開かれた状態であっても、使用者は店舗設置装置１を設置することができる。また、店舗設置装置１のコの字状の内側の領域に空間があるため、店舗設置装置１を固定壁ｗ２に設置した状態でも扉の開閉が可能であり、使用者は建物等へ自由に出入りすることができる。
【００５１】
また、第一基材１及び第二基材１２において形成された複数の洗浄孔６１は、第一基材１１及び第二基材１２の前面板１ａに穿設され、空洞１４に連通し、ホースなどの洗浄用部材を挿入することができる径を有する孔である。非常時に、止水板を使用した後、洗浄孔６１にホースを挿入し、ホースから吐出される水により内部に溜まった泥を洗い流すことができ、使用後も店舗設置装置１を清潔に保つことができる。洗浄孔６１は、洗浄用部材を挿入しやすくするため及び洗浄後の廃水を排出しやすくするために、貫通孔６０よりも径が大きいことが好ましい。
【００５２】
係止部材３０ａは、建物等の固定壁ｗ２に店舗設置装置１を係止する部材であり、固定壁ｗ２の厚さによって店舗設置装置１の取付位置を調節できる部材である。また、係止部材３０ａは、係止部材取付け面１１１ｂ・１２１ｂの上下方向における中央よりやや下方に固設されている。したがって、非常時に、店舗設置装置１を固定壁ｗ２に設置し、扉を開閉しても、扉は係止部材取付け面１１１ｂ・１２１ｂの係止部材３０ａに当たることなくスムースに開閉することができる。
【００５３】
係止部材３０ａは、係止板３０ａｂと固定具３０ａｃを有する。本実施形態において、係止板３０ａｂは多数の溝を有するＬ字の板状からなり、固定具３０ａｃに備えられている。固定具３０ａｃは係止部材取付け面１１１ｂ・１２１ｂに固設され、係止板３０ａｂの溝に係止している。非常時は、係止板３０ａｂを固定具３０ａｃから引きだして、係止板３０ａｂを固定壁ｗ２と開き戸Ｄの間の隙間に設置して、Ｌ字の角部を固定壁ｗ２に引っ掛ける。そして、店舗設置装置１、すなわち、第一支持部１１１及び第二支持部１２１を固定壁ｗ２に引っ張り込むように引き付け、店舗設置装置１と固定壁ｗ２を密着固定させるように係止する位置を調節し、所望の位置で固定具３０ａｃを係止板３０ａｂの溝に嵌合させて固定し、店舗設置装置１を係止する。このように、係止部材３０ａは店舗設置装置１を固定壁ｗ２に取り付けるための位置を調節することができるため、多様な厚みの固定壁ｗ２でも設置することができる。本実施形態において、係止部材３０ａは、Ｌ字の板状部材である係止板３０ａｂを備えているが、ねじによって締め付ける固定金具など、取付け、取外しが容易で、固定壁ｗ２の厚みに合わせて取付位置を調節できるものであればいい。
【００５４】
路面側パッキン４０は、押圧力により弾性変形可能な部材である。路面側パッキン４０は、第一基材１１及び第二基材１２の上面である８０ｂ側と、下面である８０ｄ側と、第一基材１１及び第二基材１２の長手方向の両側面である８０ａ、８０ｃ側に、接着剤等により覆設される。そして、建物側パッキン４１は、第一支持部１１１の当接面１１１ｄと、第二支持部１２１の当接面１２１ｄに接着剤等により覆設され、外部からの水が建物等の内部に流入することを防ぐ。非常時において、第一基材１１及び第二基材１２を直線状に展開し、第一支持部１１１及び第二支持部１２１が固定壁ｗ２の外側面部ｗ２２に当接し、係止部材３０ａによって密着するように係止されることにより、第一支持部１１１の当接面１１１ｄと第二支持部１２１の当接面１２１ｄの間隙を埋めて、その間隙から水が流入することを防ぐ。また、第一基材１１及び第二基材１２の長手方向の両側面８０ａ、８０ｃ側を覆設した路面側パッキン４０は、第一基材１１及び第二基材１２を直線状に展開することによって互いに押圧しあい、第一基材１１及び第二基材１２の間隙を埋めることができる。例えば、路面側パッキン４０、建物側パッキン４１としては、微細の空孔を有するスポンジ状、海綿状などの多孔質状の高分子樹脂を用いることができる。
【００５５】
また、非常時において、豪雨等により増水すると、その水が外部から店舗設置装置１の前面板１ａに向かって流れ、前面板１ａに設けられた貫通孔６０を介して空洞１４に流入することにより、第一基材１１及び第二基材１２の自重だけでなく、流入した水の重量も加わってより重くなる。このため、第一基材１１及び第二基材１２の底面である８０ｄ側に覆設されたパッキン４０が弾性変形して地面との間の間隙を塞ぐために店舗設置装置１の下方からの浸水も効果的に防止することができる。
【００５６】
また、本実施形態において、連結部材２０は第一基材１１及び第二基材１２の上面である８０ｂ側と、下面である８０ｄ側の２カ所に設けられているため、各連結部材２０にかかる水圧は分散され、店舗設置装置１は直線状に展開した平板状態を保持することができる。
【００５７】
非常時における、店舗設置装置１の設置方法について、図１０及び図１１を用いて説明する。まず、第一基材１１と第二基材１２を直線状に展開して、連結部材２０によって固定する。そして、第一基材１１と第二基材１２の前面板１ａを建物等の外側に向けて、第一支持部１１１の当接面１１１ｄ及び第二支持部１２１の当接面１２１ｄをそれぞれ対向する固定壁ｗ２の外部側面ｗ２２・ｗ２２に当接する。次に、第一支持部１１１において、係止部材３０ａの係止板３０ａｂを固定壁ｗ２と開き戸Ｄの間の隙間に設置し、係止板３０ａｂを固定壁ｗ２の内部側面ｗ２１に引っ掛け、第一支持部１１１、すなわち、店舗設置装置１を引き込むように固定壁ｗ２に係止させ、固定具３０ａｃによって係止位置を調節し固定して係止する。そして、第二支持部１２１についても、第一支持部１１１と同様に係止する。このように、店舗設置装置１は係止部材３０ａによって取付け、取外しが容易であるため容易に設置することができる。
【００５８】
そして、平常時において、店舗設置装置１は、第一基材１１と第二基材１２を任意の角度で屈曲させ、ラック用土台、看板等として使用することができる。第一支持部１１１をラック等の底部として地面に設置すると第一基材１１は第一支持部１１１に対して直角に立設する。次に、第二基材１２を後面板１ｂ側に屈折させ、第二支持部１２１のキャスター取付け面１２１ｃを底部として、店舗設置装置１を山型に立設する。すなわち、第一支持部１１１のキャスター取付け面１１１ｃと第二支持部１２１のキャスター取付け面１２１ｃが床面に対して平行に設置され、第一基材１１が第一支持部１１１に対して直角に立設すると、略台形状による底部の拡がりによって第二基材１２は安定し、店舗設置装置１はラック等として立設することができる。そして、第一支持部１１１のキャスター取付け面１１１ｃと第二支持部１２１のキャスター取付け面１２１ｃのそれぞれにキャスター５０が取付けられているため、店舗設置装置１は容易に移動することができる。したがって、平常時は、店舗設置装置１をラック用土台、看板等として止水用途とは異なる目的をもって使用することができるため、収納場所を用意する必要はなく、突然の豪雨などのときに建物や店舗などの出入口付近に設置されていれば容易に店舗設置装置１として固定壁ｗ２に設置することができる。なお、本実施形態において、基材１０は第一基材１１と第二基材１２の２枚の基材からなるが、他の実施形態において、１枚の基材でもよい。
【００５９】
以上、本発明にかかる第一実施形態から第四実施形態において、建物とは、路面店、テナント、マンションなどであり、店舗設置装置１は、これら建物の出入口又は建物内のエレベーターの出入口など、建物の内側のドアｗ１と建物の外側の固定壁ｗ２の間に係止部材３０、３０ａによって係止されるが、ドアが磁性であれば基材１０の後面板１ｂに磁石を取付け、磁石によってドアｗ１と基材１０を固定してもよいし、強力な両面テープを基材１０の後面板１ｂに張り付けることによってドアｗ１と基材１０を固定してもよい。または、ドアｗ１または基材１０のいずれか一方に鍵状のフックを設け、他方に受け部を設けることによって基材１０を固定してもよい。また、第一基材１１、１２、１３は、三枚の細長い箱状部材で形成されているが、一枚の箱状部材や、二枚及び四枚以上の細長い箱状部材で形成されていてもよい。なお、本発明にかかる店舗設置装置１は、什器などとしても使える多用途の止水板としてもとらえることができる。
【符号の説明】
【００６０】
１・・・店舗設置装置
１０・・基材
１１・・第一基材
１１１・第一支持部
１１１ａ・・・固着面
１１１ｂ・・係止部材取付け面
１１１ｃ・・キャスター取付け面
１１１ｄ・・当接面
１２・・第二基材
１２１・第二支持部
１２１ａ・・延設面
１２１ｂ・・係止部材取付け面
１２１ｃ・・キャスター取付け面
１２１ｄ・・当接面
１２２・溝
１３・・第三基材
１４・・空洞
１ａ・・前面板
１ｂ・・後面板
２０・・連結部材
３０、３０ａ・・・係止部材
３０ａｂ・・・係止板
３０ａｃ・・・固定具
３１・・位置調節部
３２・・差し込み部
３３・・リンク部
３４・・押圧部
３５・・スライド機構
３５１・固定ピン
３５２・孔
４０・・路面側パッキン
４１・・建物側パッキン
５０・・キャスター
６０・・貫通孔
６１・・洗浄孔
７０・・把手
８０a、８０b、８０c、８０d・・枠体
９０・・基材固定具
１００・ラック用収納具
ｗ１・・ドア
ｗ２・・固定壁
ｗ２１・内部側面
ｗ２２・外部側面
Ｄ・・・開き戸
【図１】
2020023873.tif 000003
【図２】
2020023873.tif 000004
【図３】
2020023873.tif 000005
【図４】
2020023873.tif 000006
【図５】
2020023873.tif 000007
【図６】
2020023873.tif 000008
【図７】
2020023873.tif 000009
【図８】
2020023873.tif 000010
【図９】
2020023873.tif 000011
【図１０】
2020023873.tif 000012
【図１１】
2020023873.tif 000013
【図１２】
2020023873.tif 000014
【図１３】
2020023873.tif 000015